(57)【要約】【課題】大量の夾雑物を捕捉することにより、ストレーナ掃除回数を少なくできて長期間使用することのできるインラインストレーナが求められている。【解決手段】インラインストレーナ１は、流入口６および流出口７を備えたハウジング２と、第１ストレーナエレメント２２と、サイクロン筒体２８とが略同軸心に配置されたストレーナであって、第１ストレーナエレメント２２のストレーナ出口２５からハウジング２の流出口７までの間と、サイクロン筒体２８の取出開口部３２とを連通してハウジング２内を迂回させるバイパス流路６０が設けられ、該バイパス流路６０の途中に液体流通可能に仕切る第２ストレーナエレメント７３が配備され、第２ストレーナエレメント７３よりもサイクロン筒体２８の取出開口部３２側のバイパス流路６０に、液体などを外部へ排出するための外部流出路８２が接続されたものである。【選択図】図３
2014087738.tif 000002
【特許請求の範囲】
【請求項１】
一端に液体の流入口を備え他端に前記流入口と略同軸心に配置された流出口を備えた筒状のハウジングと、ハウジング内に配備された第１ストレーナエレメントと、円筒状に形成された筒胴部、および、該筒胴部から延在して一体に形成され一端に向かうにつれて内径が小さくなる縮径筒部から構成されたサイクロン筒体と、を有して成り、前記サイクロン筒体は、縮径筒部がハウジングの流入口寄りに配置されるとともに、筒胴部の他端に形成されたサイクロン流出口がハウジングの流出口に連結された状態でハウジング内に設けられ、サイクロン流出口近傍の筒胴部の周壁に、ハウジングの流入口からの液体を筒胴部の内周面の接線方向に沿って筒胴部内に流入させるためのサイクロン流入口が形成されるとともに、サイクロン筒体の縮径筒部の先端に取出開口部が形成され、前記第１ストレーナエレメントは、サイクロン流出口からハウジングの流出口までの間のハウジングに取り付けられているインラインストレーナにおいて、
第１ストレーナエレメントのストレーナ出口からハウジングの流出口までの間と、サイクロン筒体の取出開口部とを連通してハウジング内を迂回させるバイパス流路が設けられ、該バイパス流路の途中に液体流通可能に仕切る第２ストレーナエレメントが配備され、第２ストレーナエレメントよりもサイクロン筒体の取出開口部側のバイパス流路に、液体などを外部へ排出するための外部流出路が接続されていることを特徴とするインラインストレーナ。
【請求項２】
第２ストレーナエレメントが、液体流通方向に対し傾斜した姿勢でバイパス流路に配置されるとともに、液体流通方向と直交する方向で且つ第２ストレーナエレメントと対面する位置に、外部流出路が接続されていることを特徴とする請求項１に記載のインラインストレーナ。
【請求項３】
第１ストレーナエレメントは、一端が閉塞しており他端が開口したストレーナ出口である筒状に形成されてサイクロン筒体内に収納され、閉塞部の先端がサイクロン筒体内で縮径筒部の先端を向いているとともに、コイルスプリングが第１ストレーナエレメントの筒内周面に密接して配備されていることを特徴とする請求項１または請求項２に記載のインラインストレーナ。
【発明の詳細な説明】
【技術分野】
【０００１】
本発明は、農薬液などの液体を散布する配管ラインの途中に、該配管ラインと略同軸心で好適に介装されるインラインストレーナに関するものである。
【背景技術】
【０００２】
従来、この種のインラインストレーナとしては、例えば下記の特許文献１に記載されたものが知られている。特許文献１に開示のインラインストレーナは、ハウジングの流入口、ハウジング内に配備されるサイクロン筒体および第１ストレーナエレメント、ならびにハウジングの流出口が、略同軸心で配置されている。
このインラインストレーナでは、ハウジングの流入口、サイクロン筒体、第１ストレーナエレメント、および流出口が略同軸心で配置されているので、サイクロン筒体を備えているにも拘わらず、小型のインライン型式を採ることができ、大きなスペースをとることなく軽量であるという利点がある。また、薬液散布管の根元部に取り付けても散布作業の邪魔にならないという利点もある。
【先行技術文献】
【特許文献】
【０００３】
【特許文献１】特開２０１１−２５１５０号公報
【発明の概要】
【発明が解決しようとする課題】
【０００４】
ところで、上記従来のインラインストレーナであっても、広大な面積の畑地で使用する場合に、第１ストレーナエレメントおよびサイクロン筒体に溜まった夾雑物の掃除を頻繁に行なうことは困難である。そのために、サイクロン筒体内に大量の夾雑物が充満してゴミ詰まりが発生することがある。更には、第１ストレーナエレメントにゴミが詰まることで、液体が第１ストレーナエレメントを流通できなくなって第１ストレーナエレメントが潰されるおそれもある。すなわち、液体中に大量の夾雑物が存在している場合やストレーナ掃除の回数が少ない場合に、第１ストレーナエレメントに夾雑物が詰まるのである。
【０００５】
本発明は、上記した従来の問題点に鑑みてなされたものであって、大量の夾雑物を捕捉することにより、ストレーナ掃除回数を少なくできて長期間使用することのできるインラインストレーナの提供を目的とする。
【課題を解決するための手段】
【０００６】
上記目的を達成するために、本発明に係るインラインストレーナは、一端に液体の流入口を備え他端に前記流入口と略同軸心に配置された流出口を備えた筒状のハウジングと、ハウジング内に配備された第１ストレーナエレメントと、円筒状に形成された筒胴部、および、該筒胴部から延在して一体に形成され一端に向かうにつれて内径が小さくなる縮径筒部から構成されたサイクロン筒体と、を有して成り、前記サイクロン筒体は、縮径筒部がハウジングの流入口寄りに配置されるとともに、筒胴部の他端に形成されたサイクロン流出口がハウジングの流出口に連結された状態でハウジング内に設けられ、サイクロン流出口近傍の筒胴部の周壁に、ハウジングの流入口からの液体を筒胴部の内周面の接線方向に沿って筒胴部内に流入させるためのサイクロン流入口が形成されるとともに、サイクロン筒体の縮径筒部の先端に取出開口部が形成され、前記第１ストレーナエレメントは、サイクロン流出口からハウジングの流出口までの間のハウジングに取り付けられているインラインストレーナにおいて、第１ストレーナエレメントのストレーナ出口からハウジングの流出口までの間と、サイクロン筒体の取出開口部とを連通してハウジング内を迂回させるバイパス流路が設けられ、該バイパス流路の途中に液体流通可能に仕切る第２ストレーナエレメントが配備され、第２ストレーナエレメントよりもサイクロン筒体の取出開口部側のバイパス流路に、液体などを外部へ排出するための外部流出路が接続されている構成にしてある。
【０００７】
また、前記構成において、第２ストレーナエレメントが、液体流通方向に対し傾斜した姿勢でバイパス流路に配置されるとともに、第２ストレーナエレメントに対し液体流通方向と直交する方向の対面位置に外部流出路が接続されているものである。
【０００８】
そして、前記した各構成において、第１ストレーナエレメントは、一端が閉塞しており他端が開口したストレーナ出口である筒状に形成されてサイクロン筒体内に収納され、閉塞部の先端がサイクロン筒体内で縮径筒部の先端を向いているとともに、コイルスプリングが第１ストレーナエレメントの筒内周面に密接して配備されているものである。
【発明の効果】
【０００９】
本発明に係るインラインストレーナによれば、ハウジング内はもとより、サイクロン筒体および第１ストレーナエレメントを迂回するバイパス流路にも液体が流れる。従って、第１ストレーナエレメントで液体中の夾雑物を捕捉できるうえ、サイクロン筒体で捕捉された夾雑物を液体とともにバイパス流路に流して第２ストレーナエレメントで捕捉することができる。すなわち、夾雑物を溜める内容積が増えるので、より多量の夾雑物を捕捉できる。これにより、液体中の夾雑物が多い場合でも、余裕をもって夾雑物を捕捉することができる。加えて、第２ストレーナエレメントで夾雑物が多く捕捉された場合は、外部流出路から液体とともに夾雑物を外部へ排出することができる。
【００１０】
また、第２ストレーナエレメントが、液体流通方向に対し傾斜した姿勢でバイパス流路に配置され、その対面位置に外部流出路が接続されているものでは、第２ストレーナエレメントが液体流通方向に対し斜めに配置されていることにより、外部流出路を開放して夾雑物を外部へ排出するときに、液体の流れの勢いで、第２ストレーナエレメントに付着していた夾雑物を洗い流して清浄にすることができる。
【００１１】
そして、コイルスプリングが第１ストレーナエレメントの筒内周面に密接して配備されているものでは、前回掃除から長期にわたってストレーナ掃除をしなかった場合のように、第１ストレーナエレメントの周囲に大量の夾雑物が溜まったようなときでも、コイルスプリングが第１ストレーナエレメントを内側から補強しているので、第１ストレーナエレメントが押し潰されるといった不具合を回避することができる。
【図面の簡単な説明】
【００１２】
【図１】本発明の一実施形態に係るインラインストレーナの斜視図である。
【図２】前記インラインストレーナの分解斜視図である。
【図３】前記インラインストレーナの側断面図である。
【図４】幾つかの部品を取り外した状態の図３におけるＡ−Ａ線矢視断面図である。
【図５】図３におけるＢ−Ｂ線矢視断面図である。
【図６】前記インラインストレーナのサイクロン筒体の斜視図である。
【図７】前記インラインストレーナの動作を説明するための側断面図である。
【発明を実施するための形態】
【００１３】
本発明の実施形態を図面に基づいて説明する。尚、以下に述べる実施形態は本発明を具体化した一例に過ぎず、本発明の技術的範囲を限定するものでない。
図１〜図５において、この実施形態のインラインストレーナ１は全体構成として、ハウジング２と、サブケース５１と、配管部８４と、から主に構成されている。ハウジング２は、一方の筒端に流入口６が設けられ他方の筒端に開口部５が設けられた円筒状の本体ケース３と、本体ケース３の他方の筒端に装着されて開口部５を封止する本体蓋４と、から構成されている。ハウジング２内には、後で詳述する、第１ストレーナエレメント２２とサイクロン筒体２８が装着される。上記した本体蓋４の材質は特に限定されないが、例えば真鍮を用いてある。本体ケース３とサブケース５１も材料は特に限定されないが、例えば透明なポリエチレンナフタレートを材料として一体成型により形成されている。但し、本体ケース３とサブケース５１とを別々に形成して、螺合などにより連結するようにしても構わない。
【００１４】
本体蓋４の内周面には雌ネジ部１０が刻設されている。この雌ネジ部１０は、本体ケース３の他方の筒端外周面に刻設された雄ネジ部９と螺合するようになっている。また、本体蓋４には、本体蓋４が本体ケース３の開口部５を封止した状態で流入口６と同軸心となる位置に、管部４０が突設されている。管部４０の内部は流出口７となっており、管部４０の外周面に雄ネジ部１１が刻設されている。使用にあたり、雄ネジ部１１には例えば薬液散布管（図示省略）の雌ネジ部が螺止される。そして、本体ケース３上部の開口部５内には、整流部材５３を格納し得るスペースが設けられている。整流部材５３は、サイクロン筒体２８および第１ストレーナエレメント２２の他端開口２５（ストレーナ出口の例）の上方位置にパッキング８を介して設置され、その外周面にはＯ−リング５６が装着される。整流部材５３は、上下貫通した主流路５４を有する円筒状に形成されている。主流路５４の周壁の下部には、当該周壁を貫通する複数の開口部５５が形成されている。そして、整流部材５３は、パッキング５７および本体蓋４によって本体ケース３の上端縁に固定される。
【００１５】
本体ケース３の流入口６側の先端部には嵌合部材３５が螺止されており、円筒状の袋ナット５０が嵌合部材３５に嵌着されている。袋ナット５０の内周面には雌ネジ部１３が刻設されている。使用にあたり、この雌ネジ部１３には例えばホース先端の雄ネジ部（図示省略）が螺止される。流入口６近傍位置の本体ケース３の筒壁には、本体ケース３の筒心に対し直角方向外向きに延びる流路６１が形成されている。本体ケース３の内部において、前記した流路６１とつながる位置には、平面視円形受台状の受口５９が形成されている。この受口５９にサイクロン筒体２８の下端部が装着されることにより、サイクロン筒体２８が本体ケース３内で位置決め支持される。そして、本体ケース３の内周面には、縦溝状に形成された１対の係合溝部３７，３７（図５参照）が対角位置に形成されている。そして、符号の３６は、管部４０の根元部分に装着されるパッキングである。
【００１６】
第１ストレーナエレメント２２は、一端開口２４および他端開口２５を有する円筒状に形成された通液自在の濾材２３と、濾材２３に装着されて一端開口２４を閉塞する濾材２７（閉塞部）とから構成されている。濾材２７は平面視円形皿状に形成されており、濾材２３の一端開口２４に嵌め付けられ溶接などで固着される。濾材２３の他端開口２５の周縁部には、径方向外向きに延在する周鍔部２６が全周にわたって形成されている。この第１ストレーナエレメント２２は本体ケース３と同軸心で配置され、他端開口２５が本体蓋４の内面に装着されて流出口７に連結される。濾材２３および濾材２７は例えばステンレス線材製の金網で構成され、例えば４０メッシュの目開きのものが使用される。また、第１ストレーナエレメント２２の筒内周壁に、コイルスプリング５８が密接して配備されている。
【００１７】
サイクロン筒体２８は、図６にも示すように、円筒状に形成された筒胴部２９と、筒胴部２９から延在して一体に形成され一端に向かうにつれて内径が徐々に小さくなる縮径筒部３０とから成っている。縮径筒部３０の外周面は、先端に向かうにつれて外径が小さくなるテーパ面４７として形成されている。縮径筒部３０の先端には、筒胴部２９の筒心（図６の１点鎖線Ｃ）に対し直角の方向に延びる取出管３１が形成されている。この取出管３１には、縮径筒部３０の内部と外部とを連通する取出開口部３２が形成されている。サイクロン筒体２８の外周面の対角位置には、１対の係止突起３３，３３が径方向外向きに突出して形成されている。サイクロン筒体２８は、係止突起３３，３３が本体ケース３の係合溝部３７，３７内に挿入されることにより回り止め支持される。筒胴部２９における縮径筒部３０と反対側の端面開口はサイクロン流出口３９となっている。このサイクロン流出口３９近傍の筒胴部２９には、１対のサイクロン流入口３４，３４が対角位置に形成されている。各サイクロン流入口３４を構成する一方のガイドエッジ部３８は径方向外向きに張り出して形成され、ガイドエッジ部３８と対面する他方のガイドエッジ部４４は径方向内向きに陥入して形成されている。
【００１８】
前記したガイドエッジ部３８，４４の特徴形状により、サイクロン流入口３４から流入した液体が筒胴部２９の内周面をその接線方向（図５の矢印Ｔ方向および図６の矢印Ｓ方向）に沿って流れるようになっている。このサイクロン筒体２８の材料は特に限定されないが、透明材料である例えばポリエチレンナフタレートが原料として成型に供される。すなわち、サイクロン筒体２８は、本体ケース３の内周面と第１ストレーナエレメント２２の外周面との間の空間に配備され、本体ケース３と同軸心に配置される。また、サイクロン筒体２８の縮径筒部３０は本体ケース３の流入口６寄りに配置され、サイクロン流入口３４が流出口７寄りに配置される。そして、第１ストレーナエレメント２２の先端である濾材２７がサイクロン筒体２８内で縮径筒部３０の先端を指向するように配置されている。そして、サイクロン筒体２８および第１ストレーナエレメント２２がハウジング２内の所定位置に配置された状態で、ハウジング２の濾材２７の先端は筒胴部２９内に位置しており、縮径筒部３０内に達していない。これにより、縮径筒部３０内でのサイクロン流の流れを阻害しないようになっている。組立て時におけるサイクロン筒体２８のサイクロン流出口３９の端面位置は、本体ケース３の開口部５の端面位置とほぼ面一になっている。
【００１９】
上記した構成のインラインストレーナ１において、ハウジング２の内部は、流入口６と流出口７とを連通する液体通路となっている。この液体通路は、流入口６からつながる第１通路４１と、サイクロン筒体２８により第１通路４１と区画されてサイクロン筒体２８内に形成される第２通路４２と、第１ストレーナエレメント２２により通液自在に第２通路４２と区画されて流出口７につながる濾材２３内の第３通路４３とから成っている。第１通路４１と第２通路４２はサイクロン流入口３４，３４により連通している。
【００２０】
一方で、前記のサブケース５１は本体ケース３の側方に並列に配置されており、薄肉の一体接続部５２を介して本体ケース３と一体に形成されている。サブケース５１の上部には、本体ケース３の筒内と外部とを連通するように水平方向に延在する流路６３が形成されている。この流路６３の外側の端部は掃除時など以外に六角フタ８０により封止されている。一方、サブケース５１の下部には既述の流路６１が形成されている。この流路６１は、本体ケース３内の受口５９と外部とを連通するように水平方向に延在している。流路６１の外側の端部は、掃除時など以外に六角フタ８１により封止されている。そして、流路６１と流路６３とは、垂直方向に延在する流路６２により連通している。
【００２１】
流路６２と流路６３の交差部分には、サブケース５１の上面に開口した装着用空間６７が形成されている。装着用空間６７の上面開口の外周には、蓋体６９の雌ネジ部７０と螺合する雄ネジ部６８が形成されている。装着用空間６７の上面開口は、パッキング７１および蓋体６９により封止される。装着用空間６７内に出し入れ可能に装着されるフィルタアタッチメント６４は、例えばポリエチレンナフタレートで構成されており、平面視正方形状の流路６６が上下貫通して形成されている。フィルタアタッチメント６４は、その下部が平面視矩形状の角筒部６４Ａとして形成され、その上部が平面視円形状の円筒部６４Ｂとして形成されている。角筒部６４Ａの上部側壁には、開口部６５が水平向きに貫通して形成されている。流路６６の下部開口である角穴７２は、側面から視て垂直方向に対し角度θ傾斜して形成されている。そして、角穴７２の全面を被う平板状の第２ストレーナエレメント７３が、角穴７２の周縁部に固着されている。すなわち、第２ストレーナエレメント７３は、液体流通方向（図７中の矢印Ｇ方向）に対し角度θ傾斜した向きで流路６２内に配置されている。
【００２２】
第２ストレーナエレメント７３は、第１ストレーナエレメント２２と同じく、例えばステンレス線材製の４０メッシュ目開きの金網で構成されている。但し、第２ストレーナエレメント７３の材質および目開きを第１ストレーナエレメント２２のものと異ならせても構わない。すなわち、サブケース５１の流路６１と、流路６２と、フィルタアタッチメント６４の角穴７２と、流路６６と、開口部６５と、流路６３とから、バイパス流路６０が構成される。このバイパス流路６０は、第１ストレーナエレメント２２の他端開口（ストレーナ出口）２５からハウジング２の流出口７までの間とサイクロン筒体２８の取出開口部３２とを連通して、ハウジング２内を迂回させる機能を有している。前記のように、フィルタアタッチメント６４がサブケース５１の装着用空間６７内の規定位置に装着されることにより、第２ストレーナエレメント７３がバイパス流路６０の流路６２を液体流通可能に仕切るとともに、フィルタアタッチメント６４の流路６５が流路６３と連通する。流路６３の本体ケース３側の開口部は、整流部材５３の開口部５５と対面している。
【００２３】
そして、流路６２において第２ストレーナエレメント７３よりも流路６１側の位置に、外部に開口する開口部８５が形成されている。この開口部８５の形成位置は、第２ストレーナエレメント７３と対面する位置のうち、液体流通方向の最も下流側の位置とすることが好ましい。開口部８５には配管部８４が接続される。配管部８４は、サブケース５１の開口部８５にネジ止めされた取付管７５と、取付管７５に螺止された袋ナット７６と、袋ナット７６を介して接続された配管７７と、配管７７内の弁座８３を例えば手動で開閉するコック７９と、から構成されている。すなわち、取付管７５内の流路７４と、配管７７内の流路７８と、コック７９の弁内流路とから、液体やゴミなどを外部へ排出するための、外部流出路８２が構成される。
【００２４】
上記のように構成されたインラインストレーナ１は、例えば先端にノズルを有する薬液散布管の末端雄ネジ部（図示省略）に雌ネジ部１１が螺止され、ポンプの吐出管とつながったホース先端の雄ネジ部（図示省略）に袋ナット５０の雌ネジ部１３が螺止されて使用される。そこで、ポンプからホースに吐出された農薬液は本体ケース３の流入口６から第１通路４１に流入する。第１通路４１の農薬液は他端開口５に向かうが、その際に、サイクロン筒部２８の外周のテーパ面に沿って径方向に広がるように円滑に案内される。
【００２５】
このように案内された農薬液は他端開口５近傍に達し、サイクロン流入口３４，３４からサイクロン筒体２８内の第２通路４２に接線方向に高速で流入し、サイクロン筒体２８の内周面に沿って高速旋回しながら流れる。これにより、農薬液に混入していたゴミや砂利などの夾雑物のうち、比重の大きなものほど筒胴部２９の内周面にたたきつけられて農薬液から分離される。農薬液から分離した夾雑物は、縮径筒部３０の内周面に導かれて縮径筒部３０内の底部に溜まる。
【００２６】
一方、縮径筒部３０に導かれた農薬液は旋回しながら本体蓋４の方向に向きを変える。このとき、農薬液は第１ストレーナエレメント２２の濾材２７の存在により濾材２７の外周部に向けて円滑に案内されたのち濾材２３の外方位置に達する。そうして、農薬液が濾材２３を通過する際に、サイクロン筒体２８で捕捉された夾雑物よりも比重および粒径の小さな夾雑物が濾材２３で捕捉される。濾材２３で夾雑物が除去された農薬液は、第１ストレーナエレメント２２内の第３通路４３を通り流出口７から薬液散布管に流入し、ノズルから農作物に散布される。
【００２７】
また、サイクロン筒体２８で夾雑物の多くが捕捉され第１ストレーナエレメント２２で夾雑物の残りが捕捉されるので、ストレーナ全体の濾過負荷がサイクロン筒体２８と第１ストレーナエレメント２２とに分担される。更に、サイクロン筒体２８で捕捉された夾雑物は取出開口部３２からバイパス流路６０に取り出されるので、第１ストレーナエレメント２２で捕捉される夾雑物が比較的少なくなり、第１ストレーナエレメント２２の掃除頻度が少なくて済む。そして、このインラインストレーナ１は組立、分解が簡単で、全ての部品のメンテナンスおよび洗浄を手軽に行なうことができる。尚、コイルスプリング５８が第１ストレーナエレメント２２の濾材２３の内周壁に密接して配備されているので、第１ストレーナエレメント２２は内側からコイルスプリング５８により支持され補強されている。これにより、たとえ第１ストレーナエレメント２２の外周に大量の夾雑物が溜まって閉塞したような場合があっても、第１ストレーナエレメントが押し潰されるといった不具合を回避できる。
【００２８】
特に、このインラインストレーナ１では、サイクロン筒体２８におけるサイクロン流の発生、および第１ストレーナエレメント２２の存在に起因して、流入口６と流出口７との間のハウジング２内に圧力損失が生じている。一方で、バイパス流路６０を有している。これらによって、サイクロン筒体２８内の農薬液は取出開口部３２から出てバイパス流路６０を流通し、ハウジング２内の流出口７の手前に戻る。その際に、農薬液中の夾雑物はバイパス流路６０内の第２ストレーナエレメント７３で捕捉されるのである。これにより、農薬液中の夾雑物が多かったり、前回のストレーナ掃除から長期間が経過した場合でも、支障なく多量の夾雑物を濾し取ることができ、ストレーナ掃除の頻度を少なくできるのである。このように、サイクロン筒体２８の縮径筒部３０内に捕捉された夾雑物は取出開口部３２からバイパス流路６０へ払い出されるので、縮径筒部３０内に溜まり続けることがなく、サイクロン作用を生じさせ得る液体旋回スペースを縮径筒部３０内に常に確保することができる。
【００２９】
そして、コック７９を開くだけで、薬液散布管やホースなどをインラインストレーナ１から取り外すことなく、またポンプを停止させることなく、第２ストレーナエレメント７３で捕捉された夾雑物を外部流出路８２経由で外部へ排出することができる。このような夾雑物の排出作業は非常に簡単なので頻繁に行なっても大きな負担にならない。そのうえ、取扱いが厳しく高価な農薬液を無駄に流失させることもない。このとき、バケツなどを用意しておけば、配管部８４から噴出する農薬液および夾雑物をバケツで受けられるので、ほとんど手を濡らすことなく排出作業を行なうことができる。
【００３０】
また、第２ストレーナエレメント７３が液体流通方向（矢印Ｇ方向）に対し斜めに配置されていることにより、コック７９を開いて外部流出路８２から夾雑物を外部へ排出するときに、破線で示す矢印Ｆのような農薬液の流勢で、第２ストレーナエレメント７３に付着していた夾雑物を洗い流して清浄にすることができる。一方で、斜めに配置された第２ストレーナエレメント７３に多くの夾雑物が詰まって農薬液が流れにくくなったとしても、ハウジング２内の第１ストレーナエレメント２２側を通って農薬液が流れるため、第２ストレーナエレメント７３の潰れを回避することができる。
【００３１】
尚、上記の実施形態では、第１ストレーナエレメントおよび第２ストレーナエレメントの材料としてステンレス鋼製の金網を用いたが、本発明はそれに限定されるものでなく、例えば、微小孔が無数に穿設されたパンチングメタル、焼結金属、合成繊維製の不織布などを濾材として使用することもできる。また、第２ストレーナエレメントとして、板状の濾材を用いたが、この板状の濾材に替えて、例えば有底筒状に形成されたものを用いても構わない。
また、上記では、第２ストレーナエレメントを液体流通方向に対し傾斜させて配置した例を示したが、本発明はそれに限らず、例えば液体流通方向と直交する向きに第２ストレーナエレメントを配置することも可能である。
【符号の説明】
【００３２】
１ インラインストレーナ
２ ハウジング
３ 本体ケース
４ 本体蓋
６ 流入口
７ 流出口
２２  第１ストレーナエレメント
２３  濾材
２５  他端開口(ストレーナ出口)
２７  濾材（閉塞部）
２８  サイクロン筒体
２９  筒胴部
３０  縮径筒部
３２  取出開口部
３４  サイクロン流入口
５１  サブケース
５３  整流部材
５４  主流路
５５  開口部
５８  コイルスプリング
６０  バイパス流路
６１，６２，６３，６６，７４，７８  流路
６４  フィルタアタッチメント
６５  開口部
７２  角穴
７３  第２ストレーナエレメント
７５  取付管
７６  袋ナット
７７  配管
７９  コック
８２  外部流出路
Ｃ １点鎖線
Ｆ，Ｇ，Ｔ  矢印
θ  角度
【図１】
2014087738.tif 000003
【図２】
2014087738.tif 000004
【図３】
2014087738.tif 000005
【図４】
2014087738.tif 000006
【図５】
2014087738.tif 000007
【図６】
2014087738.tif 000008
【図７】
2014087738.tif 000009